(57)【特許請求の範囲】
【請求項１】
射出成形機に搭載する成形機コントローラに、射出成形機の外部に設けた上位制御装置を接続し、前記成形機コントローラから前記上位制御装置に所定のコードデータが送信されたなら前記上位制御装置に格納する上位マスタファイルから前記コードデータに対応する関連情報データを読出すことにより前記上位制御装置による所定の管理処理を行う射出成形機の管理システムにおいて、前記上位マスタファイルに存在しない新コードデータ及びこの新コードデータに対応する関連情報データが前記成形機コントローラで発生したなら当該成形機コントローラにより前記新コードデータ及びこの新コードデータに対応する関連情報データを含む成形機マスタファイルを作成するマスタファイル作成処理手段と、前記成形機マスタファイルと前記上位マスタファイルをマージ処理して前記新コードデータ及びこの新コードデータに対応する関連情報データを含む新しい上位マスタファイルを作成するマージ処理手段と、前記上位制御装置における前記上位マスタファイルを前記新しい上位マスタファイルに更新処理するマスタファイル更新処理手段とを具備してなることを特徴とする射出成形機の管理システム。
【請求項２】
前記所定の管理処理には、少なくとも前記上位制御装置に設けたディスプレイに前記関連情報データを表示する表示処理を含むことを特徴とする請求項１記載の射出成形機の管理システム。
【請求項３】
前記成形機コントローラにより前記上位制御装置から前記上位マスタファイルを受信するマスタファイル受信手段と、前記成形機コントローラにより前記上位マスタファイルを受信したなら受信した上位マスタファイルと前記成形機マスタファイルをマージ処理して前記新コードデータ及びこの新コードデータに対応する関連情報データを含む新しい上位マスタファイルを作成するマージ処理手段と、このマージ処理手段から得た上位マスタファイルを前記上位制御装置に送信するマスタファイル送信手段と、上位マスタファイルが送信されたなら前記上位制御装置により当該上位制御装置における上位マスタファイルを前記新しい上位マスタファイルに更新処理するマスタファイル更新処理手段とを備えることを特徴とする請求項１記載の射出成形機の管理システム。
【請求項４】
前記マスタファイル送信手段による上位マスタファイルの送信は、射出成形機の電源投入時に自動により、又は新しい上位マスタファイルの作成後における所定のタイミングにより行うことを特徴とする請求項３記載の射出成形機の管理システム。
【請求項５】
前記上位マスタファイルには、少なくとも、エラーマスタファイル，成形条件マスタファイル、の一方又は双方を含むことを特徴とする請求項３記載の射出成形機の管理システム。
【請求項６】
前記成形機コントローラにより新しいマスタファイルを作成する新マスタファイル作成処理手段と、前記マスタファイル送信手段により前記新しいマスタファイルが前記上位制御装置に送信されたなら前記上位制御装置により当該上位制御装置における上位マスタファイルを前記新しいマスタファイルに更新処理する新マスタファイル更新処理手段を備えることを特徴とする請求項３記載の射出成形機の管理システム。
【請求項７】
前記新しいマスタファイルには、少なくとも、モニタデータマスタファイル，成形条件表マスタファイル、の一方又は双方を含むことを特徴とする請求項６記載の射出成形機の管理システム。
【請求項８】
前記成形条件表マスタファイルは、前記上位制御装置からダウンロードしたＨＴＭＬ形式の成形条件表にオプション仕様を追加して作成することを特徴とする請求項７記載の射出成形機の管理システム。
【請求項９】
前記成形機マスタファイルを前記上位制御装置に送信するマスタファイル送信手段と、前記上位制御装置により前記成形機コントローラから送信された前記成形機マスタファイルと前記上位マスタファイルをマージ処理して前記新コードデータ及びこの新コードデータに対応する関連情報データを含む新しい上位マスタファイルを作成するマージ処理手段と、当該上位制御装置における上位マスタファイルを前記新しい上位マスタファイルに更新処理するマスタファイル更新処理手段とを備えることを特徴とする請求項１記載の射出成形機の管理システム。
【請求項１０】
前記上位マスタファイルには、エラーマスタファイル，成形条件マスタファイル，成形条件表マスタファイルの少なくとも一つ以上を含むことを特徴とする請求項９記載の射出成形機の管理システム。
【発明の詳細な説明】
【技術分野】
【０００１】
本発明は、射出成形機に搭載する成形機コントローラに上位制御装置を接続して射出成形機に対する管理処理を行う射出成形機の管理システムに関する。
【背景技術】
【０００２】
従来、射出成形機に搭載する成形機コントローラに、この射出成形機の外部に設けた上位制御装置を接続し、この上位制御装置により成形機コントローラに対する所定の管理処理を行う射出成形機の管理システムとしては、特許文献１で開示される射出成形機群の群管理システムが知られている。
【０００３】
同文献１で開示される射出成形機群の群管理システム（射出成形機の管理システム）は、中央コントローラ（成形機コントローラ）を搭載する一又は二以上の射出成形機と、各中央コントローラに接続する一又は二以上の周辺機器と、通信ラインを介して各中央コントローラに接続し、各射出成形機及び各周辺機器を群管理するホストコンピュータ部（上位制御装置）を備える射出成形機群の群管理システムであって、各周辺機器を制御する補助コントローラを設け、各射出成形機における補助コントローラと中央コントローラをインタフェースにより接続するとともに、各補助コントローラとホストコンピュータ部を上記通信ラインとは異なる第二の通信ラインを介して接続したものである。
【０００４】
ところで、この種の管理システムは、射出成形機の管理を目的としてシステム化されるため、各射出成形機に搭載する成形機コントローラから上位制御装置に対して各種データが送信される。例えば、任意の射出成形機において異常が発生（イベント発生）した場合、この異常の発生に係わる情報が上位制御装置に送信され、上位制御装置にその旨の表示が行われる。この場合、特許文献２で開示されるように、異常が発生した際には、異常の種類に対応したエラーコードが用いられ、通常、異常に対応したエラーコード（コードデータ）は成形機コントローラから上位制御装置に送信され、上位制御装置において、このエラーコードに対応した異常に係わる関連情報データ、具体的には、異常メッセージがエラーマスタファイルから読出され、この異常メッセージが上位制御装置に備えるディスプレイに表示される。したがって、管理者は、ディスプレイの表示を見ることにより、異常の発生有無及び具体的な異常の種類等を速やかに確認することができる。
【特許文献１】特公平８−１３４９１号公報
【特許文献２】特公平６−４５１６５号公報
【発明の開示】
【発明が解決しようとする課題】
【０００５】
しかし、上述した従来における射出成形機の管理システムは、次のような解決すべき課題が存在した。
【０００６】
第一に、新しい射出成形機を追加した場合、追加した射出成形機が新規のエラーコードを所有している場合も少なくないが、新規のエラーコードを上位制御装置に送信してもエラーマスタファイルでは認識できない。したがって、この場合、新規のエラーコード及び対応する関連情報データを上位制御装置でも利用できるように、上位制御装置をカスタマイズする必要があるが、カスタマイズ作業は、新規のエラーコードが発生する毎に行う必要があるなど、新規のエラーコードに対する対応作業が面倒で大変となる。
【０００７】
第二に、新規のエラーコードに対する対応は、上位制御装置のカスタマイズを前提とするため、予めカスタマイズに対応するマスタ情報（データベース）を用意する必要があるとともに、このマスタ情報に無いエラーコードが発生した場合やカスタマイズできないエラーコードが発生した場合には、データベースの追加やソフトウェア変更等を伴うなど、柔軟に対応できないとともに、コストアップも強いられる。
【０００８】
本発明は、このような背景技術に存在する課題を解決した射出成形機の管理システムの提供を目的とするものである。
【課題を解決するための手段】
【０００９】
本発明に係る射出成形機の管理システム１は、上述した課題を解決するため、射出成形機５０…に搭載する成形機コントローラ２に、射出成形機５０…の外部に設けた上位制御装置３を接続し、成形機コントローラ２から上位制御装置３に所定のコードデータが送信されたなら上位制御装置３に格納する上位マスタファイルＦｍからコードデータに対応する関連情報データを読出すことにより上位制御装置３による所定の管理処理を行う管理システムを構成するに際して、上位マスタファイルＦｍに存在しない新コードデータＤｃ及びこの新コードデータＤｃに対応する関連情報データＤｉが成形機コントローラ２で発生したなら当該成形機コントローラ２により新コードデータＤｃ及びこの新コードデータＤｃに対応する関連情報データＤｉを含む成形機マスタファイルＦｍｉを作成するマスタファイル作成処理手段Ｍｓと、成形機マスタファイルＦｍｉと上位マスタファイルＦｍをマージ処理して新コードデータＤｃ及びこの新コードデータＤｃに対応する関連情報データＤｉを含む新しい上位マスタファイルＦｍｎを作成するマージ処理手段Ｍｍと、上位制御装置３における上位マスタファイルＦｍを新しい上位マスタファイルＦｍｎに更新処理するマスタファイル更新処理手段Ｍｅとを具備してなることを特徴とする。
【００１０】
この場合、発明の好適な態様により、所定の管理処理には、少なくとも上位制御装置３に設けたディスプレイ５に関連情報データＤｉを表示する表示処理を含ませることができる。また、マージ処理手段は、成形機コントローラ２側に設けてもよいし、上位制御装置３側に設けてもよい。マージ処理手段を成形機コントローラ２側に設ける場合には、成形機コントローラ２により上位制御装置３から上位マスタファイルＦｍを受信するマスタファイル受信手段Ｍｒと、成形機コントローラ２により上位マスタファイルＦｍを受信したなら受信した上位マスタファイルＦｍと成形機マスタファイルＦｍｉをマージ処理して新コードデータＤｃ及びこの新コードデータＤｃに対応する関連情報データＤｉを含む新しい上位マスタファイルＦｍｎを作成するマージ処理手段Ｍｍと、このマージ処理手段Ｍｍから得た上位マスタファイルＦｍｎを上位制御装置３に送信するマスタファイル送信手段Ｍｔと、上位マスタファイルＦｍｎが送信されたなら上位制御装置３により当該上位制御装置３における上位マスタファイルＦｍを更新処理するマスタファイル更新処理手段Ｍｅを備えて構成できる。この際、マスタファイル送信手段Ｍｔによる上位マスタファイルＦｍｎの送信は、射出成形機５０の電源投入時に自動により、又は新しい上位マスタファイルＦｍｎの作成後における所定のタイミングにより行うことができる。なお、上位マスタファイルＦｍには、少なくとも、エラーマスタファイルＦｍｅ，成形条件マスタファイルＦｍｃ、の一方又は双方を含ませることができる。さらに、管理システム１には、成形機コントローラ２により新しいマスタファイルＦｍａ，Ｆｍｂを作成する新マスタファイル作成処理手段Ｍｓｎと、マスタファイル送信手段Ｍｔにより新しいマスタファイルＦｍａ，Ｆｍｂが上位制御装置３に送信されたなら上位制御装置３により当該上位制御装置３における上位マスタファイルＦｍを新しいマスタファイルＦｍａ，Ｆｍｂに更新処理する新マスタファイル更新処理手段Ｍｅｎを設けることができる。なお、新しいマスタファイルＦｍａ，Ｆｍｂには、少なくとも、モニタデータマスタファイル（Ｆｍａ），成形条件表マスタファイル（Ｆｍｂ）、の一方又は双方を含ませることができる。特に、成形条件表マスタファイルＦｍｂは、上位制御装置３からダウンロードしたＨＴＭＬ形式の成形条件表Ｐｍｂにオプション仕様Ｐｍｏを追加して作成することができる。
【００１１】
他方、マージ処理手段を上位制御装置３側に設ける場合には、成形機マスタファイルＦｍｉを上位制御装置３に送信するマスタファイル送信手段Ｍｔと、上位制御装置３により成形機コントローラ２から送信された成形機マスタファイルＦｍｉと上位マスタファイルＦｍをマージ処理して新コードデータＤｃ及びこの新コードデータＤｃに対応する関連情報データＤｉを含む新しい上位マスタファイルＦｍｎを作成するマージ処理手段と、当該上位制御装置３における上位マスタファイルＦｍを新しい上位マスタファイルＦｍｎに更新処理するマスタファイル更新処理手段Ｍｅを備えて構成できる。なお、この上位マスタファイルＦｍには、エラーマスタファイルＦｍｅ，成形条件マスタファイルＦｍｃ，成形条件表マスタファイルＦｍｂの少なくとも一つ以上を含ませることができる。
【発明の効果】
【００１２】
このような構成を有する本発明に係る射出成形機の管理システム１によれば、次のような顕著な効果を奏する。
【００１３】
（１）  追加した新しい射出成形機５０が、新コードデータＤｃを所有しているような場合であっても、オペレータの簡単な操作により、上位制御装置３における上位マスタファイルＦｍの自動更新、即ち、上位マスタファイルＦｍに対する新コードデータＤｃ及び関連情報データＤｉの追加を自動で行うことができる。したがって、新コードデータＤｃの追加毎に行う上位制御装置３のカスタマイズ作業が不要になるなど、容易かつ確実に実施することができる。
【００１４】
（２）  上位制御装置３におけるカスタマイズが不要となるため、カスタマイズに使用するマスタ情報（データベース）を上位制御装置３に予め用意する必要がない。しかも、カスタマイズできない新コードデータＤｃが発生したような場合であってもソフトウェア変更等が不要になるなど、様々なケースに柔軟に対応できるとともに、全体のコストダウンにも寄与できる。
【００１５】
（３）  上位マスタファイルＦｍと成形機マスタファイルＦｍｉをマージ処理して新コードデータＤｃ及びこの新コードデータＤｃに対応する関連情報データＤｉを含む新しい上位マスタファイルＦｍｎを作成し、上位制御装置３の上位マスタファイルＦｍを新しい上位マスタファイルＦｍｎに更新処理するため、上位制御装置３で設定・管理されるデータが、上位マスタファイルＦｍに含まれているような場合であっても、マスタファイルＦｍの整合性を失うことなくマスタファイルＦｍを最新の状態に更新できる。
【００１６】
（４）  好適な態様により、成形機コントローラ２により上位制御装置３から上位マスタファイルＦｍを受信するマスタファイル受信手段Ｍｒと、成形機コントローラ２により上位マスタファイルＦｍを受信したなら受信した上位マスタファイルＦｍと成形機マスタファイルＦｍｉをマージ処理して新コードデータＤｃ及びこの新コードデータＤｃに対応する関連情報データＤｉを含む新しい上位マスタファイルＦｍｎを作成するマージ処理手段Ｍｍと、このマージ処理手段Ｍｍから得た上位マスタファイルＦｍｎを上位制御装置３に送信するマスタファイル送信手段Ｍｔと、上位マスタファイルＦｍｎが送信されたなら上位制御装置３により当該上位制御装置３における上位マスタファイルＦｍを更新処理するマスタファイル更新処理手段Ｍｅを備えて構成すれば、マージ処理手段を成形機コントローラ２側に設けることができため、上位制御装置３側におけるマージ処理を不要にできる。
【００１７】
（５）  好適な態様により、マスタファイル送信手段Ｍｔによる上位マスタファイルＦｍｎの送信を、射出成形機５０の電源投入時に自動により、又は新しい上位マスタファイルＦｍｎの作成後における所定のタイミングにより行うようにすれば、オペレータは、必要に応じて更新のタイミングを選択できるため、更新を行う際の利便性向上及び信頼性向上（安全性向上）に寄与できる。
【００１８】
（６）  好適な態様により、上位マスタファイルＦｍに、少なくとも、エラーマスタファイルＦｍｅ，成形条件マスタファイルＦｍｃ、の一方又は双方を含ませれば、特に、コードデータＤｃ及び関連情報データＤｉを用いる上位マスタファイルＦｍ及び成形機マスタファイルＦｍｉに適した更新処理を容易かつ的確に行うことができる。
【００１９】
（７）  好適な態様により、管理システム１に、成形機コントローラ２により新しいマスタファイルＦｍａ，Ｆｍｂを作成する新マスタファイル作成処理手段Ｍｓｎと、マスタファイル送信手段Ｍｔにより新しいマスタファイルＦｍａ，Ｆｍｂが上位制御装置３に送信されたなら上位制御装置３により当該上位制御装置３における上位マスタファイルＦｍを新しいマスタファイルＦｍａ，Ｆｍｂに更新処理する新マスタファイル更新処理手段Ｍｅｎを設ければ、特に、モニタデータマスタファイルＦｍａ及び成形条件表マスタファイルＦｍｂに適した更新処理を容易かつ的確に行うことができる。
【００２０】
（８）  好適な態様により、成形機マスタファイルＦｍｉを上位制御装置３に送信するマスタファイル送信手段Ｍｔと、上位制御装置３により成形機コントローラ２から送信された成形機マスタファイルＦｍｉと上位マスタファイルＦｍをマージ処理して新コードデータＤｃ及びこの新コードデータＤｃに対応する関連情報データＤｉを含む新しい上位マスタファイルＦｍｎを作成するマージ処理手段と、当該上位制御装置３における上位マスタファイルＦｍを新しい上位マスタファイルＦｍｎに更新処理するマスタファイル更新処理手段Ｍｅを備えて構成すれば、マージ処理手段を上位制御装置３側に設けることができるため、成形機コントローラ２側におけるマージ処理、更には上位制御装置３から上位マスタファイルＦｍを受信するマスタファイル受信手段Ｍｒを不要にできるとともに、マージ処理できる上位マスタファイルＦｍには、エラーマスタファイルＦｍｅ，成形条件マスタファイルＦｍｃに加え、成形条件表マスタファイルＦｍｂも含ませることができる。
【発明を実施するための最良の形態】
【００２１】
次に、本発明に係る最良の実施形態を挙げ、図面に基づき詳細に説明する。
【００２２】
まず、本実施形態に係る射出成形機の管理システム１の構成について、図１を参照して説明する。
【００２３】
図１に、管理システム１の全体構成を示す。同図中、５０…は複数台の射出成形機を示す。射出成形機５０は、成形機コントローラ２を搭載し、この成形機コントローラ２は、コントローラ本体部２１とディスプレイ部２２を備える。コントローラ本体部２１は、処理部２５及び内部メモリ２６を備える。処理部２５はＣＰＵを含み、内部メモリ２６と共にコンピュータ機能部を構成し、各種演算処理や制御処理を実行する。内部メモリ２６には、ＲＡＭ，ＲＯＭ，不揮発性メモリ等の各種メモリ類を含む。また、内部メモリ２６には、本発明に係る管理システム１に関連して、成形機マスタファイルＦｍｉの書込エリアＡｍを有するとともに、射出成形機５０の動作に係わるＰＬＣプログラム及びＨＭＩプログラムをはじめ、各種アプリケーションプログラム等を格納する。なお、ＰＬＣプログラムは、射出成形機５０における各種工程のシーケンス動作や射出成形機５０の監視等を実現するためのソフトウェアであり、ＨＭＩプログラムは、射出成形機５０の動作パラメータの設定及び表示，射出成形機５０の動作管理データの表示等を実現するためのソフトウェアである。このＨＭＩプログラムに、本実施形態に係る管理システム１の動作を実現するための処理プログラムＡｐが含まれる。これらのソフトウェアは、成形機コントローラ２を搭載する射出成形機５０の固有アーキテクチャとして構築される。さらに、処理部２５にはディスプレイ部２２を接続する。このディスプレイ部２２は、ディスプレイ本体２２ｍ及びこのディスプレイ本体２２ｍに付設したタッチパネル２２ｔを備え、ディスプレイ本体２２ｍにより各種表示を行うことができるとともに、タッチパネル２２ｔを利用して設定やＯＮ／ＯＦＦ等の各種入力を行うことができる。
【００２４】
一方、処理部２５は、インタフェース２７を介して射出成形機５０…群の外部に設置した上位制御装置３に接続するとともに、インタフェース２８を介して解析装置２９に接続する。上位制御装置３は、サーバコンピュータ３ｓを用いる。５はサーバコンピュータ３ｓに接続したディスプレイを示す。なお、サーバコンピュータ３ｓ及び解析装置２９のハードウェアとしては、いずれも汎用的なパーソナルコンピュータシステムを利用することができ、サーバコンピュータ３ｓには、本発明に係る管理システム１を動作させるためのアプリケーションソフトウェア（処理プログラム）を格納するとともに、解析装置２９には、各種データ類の解析を行うための専用のアプリケーションソフトウェアを格納する。したがって、サーバコンピュータ３ｓは、本発明に係る管理システム１に関連して、上位マスタファイルＦｍを格納する。この上位マスタファイルＦｍには、エラーマスタファイルＦｍｅ，成形条件マスタファイルＦｍｃ，モニタデータマスタファイルＦｍａ，成形条件表マスタファイルＦｍｂが含まれる。
【００２５】
次に、本実施形態に係る管理システム１における要部の動作、即ち、上位マスタファイルＦｍの更新処理方法について、図１〜図８を参照して説明する。
【００２６】
今、既存の射出成形機５０…群に対して、新しい射出成形機５０を追加した場合を想定する。この場合、新しい射出成形機５０も上述したサーバコンピュータ３ｓ（及び解析装置２９）に接続して管理システム１に組み込む。射出成形機５０とサーバコンピュータ３ｓの接続は、一般的なＬＡＮ（無線ＬＡＮ．有線ＬＡＮ）接続を用いることができる。なお、射出成形機５０とサーバコンピュータ３ｓの設置場所が離れている場合には、インターネット接続等を利用して射出成形機５０とサーバコンピュータ３ｓの接続を行ってもよく、必ずしもＬＡＮ接続に限定されるものではない。
【００２７】
射出成形機５０とサーバコンピュータ３ｓの接続が終了したなら、ディスプレイ部２２に、初期設定画面として、図６に示す設定画面Ｖｓを表示する。この設定画面Ｖｓは、左側に成形機設定部Ｈａ及びサーバ設定部Ｈｂを有するため、この成形機設定部Ｈａ及びサーバ設定部Ｈｂを用いて初期設定、即ち、サーバコンピュータ３ｓに対する必要な通信設定を行う。この場合、成形機設定部Ｈａにより、アドレス設定及び送信ショット設定を行うとともに、サーバ設定部Ｈｂにより、サーバＩＰアドレス設定，ユーザ名設定行うパスワード設定を行う。
【００２８】
一方、設定画面Ｖｓは、右側にマスタ更新部Ｈｍを有するため、このマスタ更新部Ｈｍを用いて上位マスタファイルＦｍの更新処理を行う。マスタ更新部Ｈｍには、エラーマスタ更新キー３１，成形条件マスタ更新キー３２，モニタデータマスタ更新キー３３，成形条件表マスタ更新キー３４及び言語選択キー３５を有する。各更新キー３１，３２…は、ＯＮ／ＯＦＦキーであり、ＯＮ又はＯＦＦに切換えることができる。上述したように、上位マスタファイルＦｍには、エラーマスタファイルＦｍｅ，成形条件マスタファイルＦｍｃ，モニタデータマスタファイルＦｍａ，成形条件表マスタファイルＦｍｂを含むため、これらの各ファイルＦｍｅ，Ｆｍｃ…は、各更新キー３１，３２…により選択して更新することができる。
【００２９】
即ち、図３に示すように、エラーマスタファイルＦｍｅの更新を行う場合には、ＯＦＦになっているエラーマスタ更新キー３１をＯＮに切換えることにより、エラーマスタファイルＦｍｅの更新処理を行うことができる（ステップＳ１，Ｓ２，Ｓ３）。図６はエラーマスタ更新キー３１をＯＮに切換えた状態を示している。同様に、成形条件マスタファイルＦｍｃの更新を行う場合には、ＯＦＦになっている成形条件マスタ更新キー３２をＯＮに切換えることにより、成形条件マスタファイルＦｍｃの更新処理を行うことができる（ステップＳ４，Ｓ５，Ｓ６）。同様に、モニタデータマスタファイルＦｍａの更新を行う場合には、ＯＦＦになっているモニタデータマスタ更新キー３３をＯＮに切換えることにより、モニタデータマスタファイルＦｍａの更新処理を行うことができる（ステップＳ７，Ｓ８，Ｓ９）。同様に、成形条件表マスタファイルＦｍｂの更新を行う場合には、ＯＦＦになっている成形条件表マスタ更新キー３４をＯＮに切換えることにより、成形条件表マスタファイルＦｍｂの更新処理を行うことができる（ステップＳ１０，Ｓ１１，Ｓ１２）。これらの更新処理はそれぞれ個別に行うこともできるし、同時に行わせることもできる。
【００３０】
以下、各マスタファイルＦｍｅ，Ｆｍｃ，Ｆｍａ，Ｆｍｂの具体的な更新処理方法について説明する。図２は本発明の要旨に対応した機能ブロック図を示す。
【００３１】
最初に、エラーマスタファイルＦｍｅの更新処理方法について、図２に示す機能ブロック図及び図７を参照しつつ、図４（ａ）に示すフローチャートに従って説明する。まず、設定画面Ｖｓにおいて、言語選択キー３５により言語の選択を行う（ステップＳ２１）。この場合、複数の言語が設定されており、言語選択キー３５をタッチする毎に順次言語が切換わる。一方、エラーマスタ更新キー３１をＯＮに切換える（ステップＳ２２）。これにより、以降は自動で更新処理が行われる。したがって、オペレータが行う操作はこれだけである。図７は、エラーマスタファイルＦｍｅのフォーマットを示す。このフォーマットは、ＣＳＶ形式のテキストフォーマットである。
【００３２】
エラーマスタ更新キー３１のＯＮにより、マスタファイル作成処理手段Ｍｓは、追加エラーマスタファイルＦｍｅｉを作成する（ステップＳ２３）。この場合、追加エラーマスタファイルＦｍｅｉは成形機マスタファイルＦｍｉとして作成する。即ち、内部メモリ２６のデータベースＤＢには、上位マスタファイルＦｍに存在しない新コードデータＤｃ及びこの新コードデータＤｃに対応する関連情報データＤｉが書込まれているため、マスタファイル作成処理手段Ｍｓは、この新コードデータＤｃ及び関連情報データＤｉを取得し、上述したフォーマットに基づく追加エラーマスタファイルＦｍｅｉ（成形機マスタファイルＦｍｉ）を作成する。具体的には、図７に示すように、四桁のエラーコード（新コードデータＤｃ），このエラーコードに対応するエラーメッセージＤｍ（関連情報データＤｉ）及びカウンタフラグＤｆ（関連情報データＤｉ）を一組として新しいデータ分だけ作成する。なお、カウンタフラグはサーバコンピュータ３ｓの固有情報であり、カウントしないエラーは「０」，カウントするエラーは「１」が付される。追加エラーマスタファイルＦｍｅｉが作成されたなら内部メモリ２６に保存される（ステップＳ２４）。
【００３３】
また、成形機コントローラ２は、マスタファイル受信手段Ｍｒにより、サーバコンピュータ３ｓから上位エラーマスタファイルＦｍｅ（上位マスタファイルＦｍ）を受信する（ステップＳ２５）。即ち、サーバコンピュータ３ｓに格納される上位エラーマスタファイルＦｍｅが成形機コントローラ２に読み込まれる。そして、マージ処理手段Ｍｍは、受信した上位エラーマスタファイルＦｍｅと作成した追加エラーマスタファイルＦｍｅｉをマージ処理し、新コードデータＤｃ及び関連情報データＤｉを含む新しい上位マスタファイル（エラーマスタファイル）Ｆｍｎを作成する（ステップＳ２６）。新しい上位マスタファイルＦｍｎが作成されたなら内部メモリ２６に保存される（ステップＳ２７）。
【００３４】
この後、新しい上位マスタファイルＦｍｎは、マスタファイル送信手段Ｍｔによりサーバコンピュータ３ｓに送信される（ステップＳ２８）。この場合、マスタファイル送信手段Ｍｔによる上位マスタファイルＦｍｎの送信は、新しい上位マスタファイルＦｍｎの作成後における所定のタイミング（自動）により行ってもよいし、射出成形機５０の次回の電源投入時に自動で行ってもよい。所定のタイミングにより行うとは直ちに行う場合も含まれる。稼働中の他の射出成形機５０…への影響が懸念される場合には、次回の電源投入時に行うことができる。このような設定により、オペレータは更新（送信）のタイミングを任意に選択できるため、更新を行う際の利便性向上及び信頼性向上（安全性向上）に寄与できる。他方、新しい上位マスタファイルＦｍｎがサーバコンピュータ３ｓに送信されたなら、サーバコンピュータ３ｓにおけるマスタファイル更新処理手段Ｍｅにより、新しい上位マスタファイル（エラーマスタファイル）Ｆｍｎの書換処理が行われる（ステップＳ２９）。即ち、格納されている上位マスタファイルＦｍの代わりに、送信された新しい上位マスタファイル（エラーマスタファイル）Ｆｍｎが格納される。これにより、エラーマスタファイルＦｍｅの更新処理が終了する。なお、更新処理が終了すれば、エラーマスタ更新キー３１は自動でＯＦＦに復帰する。
【００３５】
次に、成形条件マスタファイルＦｍｃの更新処理方法について、図２に示す機能ブロック図を参照しつつ、図４（ｂ）に示すフローチャートに従って説明する。基本的な更新処理方法は、上述したエラーマスタファイルＦｍｅの更新処理方法と同じである。まず、設定画面Ｖｓにおいて、言語選択キー３５により言語の選択を行う（ステップＳ３１）。次いで、成形条件マスタ更新キー３２をＯＮに切換える（ステップＳ３２）。これにより、以降は自動で更新処理が行われる。なお、成形条件マスタファイルＦｍｃのフォーマットもＣＳＶ形式のテキストフォーマットである。成形条件マスタ更新キー３２のＯＮにより、マスタファイル作成処理手段Ｍｓは、追加成形条件マスタファイルＦｍｃｉを作成する（ステップＳ３３）。この場合、追加成形条件マスタファイルＦｍｃｉは、成形機マスタファイルＦｍｉとして作成する。即ち、内部メモリ２６のデータベースＤＢには、上位マスタファイルＦｍに存在しない新コードデータＤｃ及びこの新コードデータＤｃに対応する関連情報データＤｉが書込まれているため、マスタファイル作成処理手段Ｍｓは、この新コードデータＤｃ及び関連情報データＤｉを取得し、上述したフォーマットに基づく追加成形条件マスタファイルＦｍｃｉを作成する。具体的には、条件コード（新コードデータＤｃ），この条件コードに対応する成形条件名称や単位等を含む成形条件内容（関連情報データＤｉ）を一組として新しいデータ分だけ作成する。追加成形条件マスタファイルＦｍｃｉが作成されたなら内部メモリ２６に保存される（ステップＳ３４）。
【００３６】
また、成形機コントローラ２は、マスタファイル受信手段Ｍｒにより、サーバコンピュータ３ｓから上位成形条件マスタファイルＦｍｃ（上位マスタファイルＦｍ）を受信する（ステップＳ３５）。即ち、サーバコンピュータ３ｓに格納される上位成形条件マスタファイルＦｍｃが成形機コントローラ２に読み込まれる。そして、マージ処理手段Ｍｍは、受信した上位成形条件マスタファイルＦｍｃと作成した追加成形条件マスタファイルＦｍｃｉをマージ処理し、新コードデータＤｃ及び関連情報データＤｉを含む新しい上位マスタファイル（成形条件マスタファイル）Ｆｍｎを作成する（ステップＳ３６）。新しい上位マスタファイルＦｍｎが作成されたなら内部メモリ２６に保存される（ステップＳ３７）。この後、新しい上位マスタファイルＦｍｎは、マスタファイル送信手段Ｍｔによりサーバコンピュータ３ｓに送信される（ステップＳ３８）。新しい上位マスタファイルＦｍｎがサーバコンピュータ３ｓに送信されたなら、サーバコンピュータ３ｓにおけるマスタファイル更新処理手段Ｍｅにより、新しい上位マスタファイルＦｍの書換処理が行われる（ステップＳ３９）。即ち、格納されている上位マスタファイルＦｍの代わりに、送信された新しい上位マスタファイル（成形条件マスタファイル）Ｆｍｎが格納される。これにより、成形条件マスタファイルＦｍｃの更新処理が終了する。なお、更新処理が終了すれば、成形条件マスタ更新キー３２は自動でＯＦＦに復帰する。
【００３７】
このように、上位マスタファイルＦｍ（成形機マスタファイルＦｍｉ）に、エラーマスタファイルＦｍｅ及び成形条件マスタファイルＦｍｃを含ませれば、特に、コードデータＤｃ及びコードデータＤｃに対応する関連情報データＤｉを利用する上位マスタファイルＦｍ及び成形機マスタファイルＦｍｉに適した更新処理を容易かつ的確に行うことができる利点がある。
【００３８】
以上の動作が本実施形態（本発明）に係る管理システム１の基本的な動作となる。よって、このような管理システム１を用いれば、追加した新しい射出成形機５０が、新コードデータＤｃ（例えば、新規のエラーコードや条件コード等）を所有しているような場合であっても、オペレータの簡単な操作により、サーバコンピュータ３ｓ（上位制御装置３）における上位マスタファイルＦｍの自動更新、即ち、上位マスタファイルＦｍに対する新コードデータＤｃ及び関連情報データＤｉ（例えば、異常メッセージや成形条件内容等）の追加を自動で行うことができる。したがって、新コードデータＤｃの追加毎に行うサーバコンピュータ３ｓのカスタマイズ作業が不要になるなど、容易かつ確実に実施することができる。また、サーバコンピュータ３ｓにおけるカスタマイズが不要になるため、カスタマイズに使用するマスタ情報（データベース）をサーバコンピュータ３ｓに予め用意する必要がない。しかも、カスタマイズできない新コードデータＤｃが発生したような場合であってもソフトウェア変更等が不要となるなど、様々なケースに柔軟に対応できるとともに、全体のコストダウンにも寄与できる。さらに、上位マスタファイルＦｍと成形機マスタファイルＦｍｉをマージ処理して新コードデータＤｃ及びこの新コードデータＤｃに対応する関連情報データＤｉを含む新しい上位マスタファイルＦｍｎを作成し、サーバコンピュータ３ｓの上位マスタファイルＦｍを新しい上位マスタファイルＦｍｎに更新処理するため、サーバコンピュータ３ｓで設定・管理されるデータが、上位マスタファイルＦｍに含まれているような場合であっても、マスタファイルＦｍの整合性を失うことなくマスタファイルＦｍを最新の状態に更新できる。
【００３９】
他方、モニタデータマスタファイルＦｍａ及び成形条件表マスタファイルＦｍｂの更新処理は、エラーマスタファイルＦｍｅ及び成形条件マスタファイルＦｍｃの更新処理方法とは、異なる更新処理方法により行われる。
【００４０】
次に、モニタデータマスタファイルＦｍａの更新処理方法について、図２に示す機能ブロック図を参照しつつ、図５（ａ）に示すフローチャートに従って説明する。まず、設定画面Ｖｓにおいて、言語選択キー３５により言語の選択を行う（ステップＳ４１）。次いで、モニタデータマスタ更新キー３３をＯＮに切換える（ステップＳ４２）。これにより、以降は自動で更新処理が行われる。なお、モニタデータマスタファイルＦｍａのフォーマットもＣＳＶ形式のテキストフォーマットである。
【００４１】
モニタデータマスタ更新キー３３のＯＮにより、新マスタファイル作成処理手段Ｍｓｎは、新しいモニタデータマスタファイルＦｍａを作成する（ステップＳ４３）。この場合、モニタデータマスタファイルＦｍａの内容は、上位マスタファイルＦｍの内容に関係なく全内容が作成される。新しいモニタデータマスタファイルＦｍａが作成されたなら、この新しいモニタデータマスタファイルＦｍａは、新しい上位マスタファイルＦｍｎとして内部メモリ２６に保存される（ステップＳ４４）。この後、新しい上位マスタファイルＦｍｎ（新しいモニタデータマスタファイルＦｍａ）は、マスタファイル送信手段Ｍｔによりサーバコンピュータ３ｓに送信される（ステップＳ４５）。新しい上位マスタファイルＦｍｎがサーバコンピュータ３ｓに送信されたなら、サーバコンピュータ３ｓにおける新マスタファイル更新処理手段Ｍｅｎにより、新しい上位マスタファイルＦｍの書換処理が行われる（ステップＳ４６）。即ち、格納されている上位マスタファイルＦｍの代わりに、送信された新しい上位マスタファイルＦｍｎ（新しいモニタデータマスタファイルＦｍａ）が格納される。これにより、モニタデータマスタファイルＦｍａの更新処理が終了する。なお、更新処理が終了すれば、モニタデータマスタ更新キー３３は自動でＯＦＦに復帰する。
【００４２】
次に、成形条件表マスタファイルＦｍｂの更新処理方法について、図２に示す機能ブロック図及び図８を参照しつつ、図５（ｂ）に示すフローチャートに従って説明する。まず、設定画面Ｖｓにおいて、言語選択キー３５により言語の選択を行う（ステップＳ５１）。次いで、成形条件表マスタ更新キー３４をＯＮに切換える（ステップＳ５２）。これにより、以降は自動で更新処理が行われる。図８は、成形条件表マスタファイルＦｍｂのフォーマットを示す。このフォーマットはＨＴＭＬフォーマットである。
【００４３】
成形条件表マスタ更新キー３４のＯＮにより、新マスタファイル作成処理手段Ｍｓｎは、新しい成形条件表マスタファイルＦｍｂを作成する。この場合、まず、成形機コントローラ２は、サーバコンピュータ３ｓから標準の成形条件表マスタファイルＦｍｂをダウンロードする（ステップＳ５３）。図８に示す上側一部がダウンロードした標準の成形条件表マスタファイルＦｍｂの成形条件表Ｐｍｂ（ＨＴＭＬ形式）である。そして、この成形条件表Ｐｍｂの後端に新しいオプション仕様Ｐｍｏを追加する（ステップＳ５４）。図８に示す下側一部が追加したオプション仕様Ｐｍｏ（ＨＴＭＬ形式）である。これにより、図８に示す新しい成形条件表マスタファイルＦｍｂが作成される。作成された新しい成形条件表マスタファイルＦｍｂは、新しい上位マスタファイルＦｍｎとして内部メモリ２６に保存される（ステップＳ５５）。この後、新しい上位マスタファイルＦｍｎ（新しい成形条件表マスタファイルＦｍｂ）は、マスタファイル送信手段Ｍｔによりサーバコンピュータ３ｓに送信される（ステップＳ５６）。新しい上位マスタファイルＦｍｎがサーバコンピュータ３ｓに送信されたなら、サーバコンピュータ３ｓにおける新マスタファイル更新処理手段Ｍｅｎにより、新しい上位マスタファイルＦｍの書換処理が行われる（ステップＳ５７）。即ち、格納されている上位マスタファイルＦｍの代わりに、送信された新しい上位マスタファイルＦｍｎ（新しい成形条件表マスタファイルＦｍｂ）が格納される。これにより、成形条件表マスタファイルＦｍｂの更新処理が終了する。なお、更新処理が終了すれば、成形条件表マスタ更新キー３４は自動でＯＦＦに復帰する。
【００４４】
このように、管理システム１に、成形機コントローラ２により新しいマスタファイルＦｍａ，Ｆｍｂを作成する新マスタファイル作成処理手段Ｍｓｎと、マスタファイル送信手段Ｍｔにより新しいマスタファイルＦｍａ，Ｆｍｂが上位制御装置３に送信されたなら上位制御装置３により当該上位制御装置３における上位マスタファイルＦｍを新しいマスタファイルＦｍａ，Ｆｍｂに更新処理する新マスタファイル更新処理手段Ｍｅｎを設ければ、特に、モニタデータマスタファイルＦｍａ及び成形条件表マスタファイルＦｍｂに適した更新処理を容易かつ的確に行うことができる利点がある。
【００４５】
以上、最良の実施形態について詳細に説明したが、本発明は、このような実施形態に限定されるものではなく、細部の構成，手法等において、本発明の要旨を逸脱しない範囲で、任意に変更，追加，削除することができる。
【００４６】
例えば、マージ処理手段は、成形機コントローラ２側に設けた場合を示したが、上位制御装置３側に設けてもよい。上位制御装置３側に設ける場合には、成形機マスタファイルＦｍｉを上位制御装置３に送信するマスタファイル送信手段Ｍｔと、上位制御装置３により成形機コントローラ２から送信された成形機マスタファイルＦｍｉと上位マスタファイルＦｍをマージ処理して新コードデータＤｃ及びこの新コードデータＤｃに対応する関連情報データＤｉを含む新しい上位マスタファイルＦｍｎを作成するマージ処理手段と、当該上位制御装置３における上位マスタファイルＦｍを新しい上位マスタファイルＦｍｎに更新処理するマスタファイル更新処理手段Ｍｅを備えて構成できる。したがって、この場合には、成形機コントローラ２側におけるマージ処理、更には上位制御装置３から上位マスタファイルＦｍを受信するマスタファイル受信手段Ｍｒを不要にできるとともに、マージ処理できる上位マスタファイルＦｍには、エラーマスタファイルＦｍｅ，成形条件マスタファイルＦｍｃに加え、成形条件表マスタファイルＦｍｂも含ませることができる。
【００４７】
一方、射出成形機５０…は複数台を設置した場合を示したが、一台であってもよい。また、所定の管理処理には、上位制御装置３に設けたディスプレイ５に関連情報データＤｉを表示する表示処理をはじめ、管理に伴う各種処理（例えば、異常出力処理，記録処理，通信処理等）が含まれる。さらに、上位マスタファイルＦｍは、エラーマスタファイルＦｍｅ，成形条件マスタファイルＦｍｃ，モニタデータマスタファイルＦｍａ，成形条件表マスタファイルＦｍｂを例示したが、他のマスタファイルを排除するものではない。なお、実施形態では、新しい射出成形機５０を追加した場合を説明したが、既設の射出成形機５０に、ユーザの特注仕様により新しいエラーメッセージを追加したり、新しい成形条件の設定器名称を追加する場合などにおいても、上位制御装置３に格納するマスタファイルＦｍに対して同様の更新処理を行うことができる。
【図面の簡単な説明】
【００４８】
【図１】本発明の最良の実施形態に係る射出成形機の管理システムの概要を示す全体構成図、
【図２】同管理システムにおける発明の要旨を示す機能ブロック図、
【図３】同管理システムのマスタファイルを更新する際の操作手順を説明するためのフローチャート、
【図４】同管理システムのマスタファイル（エラーマスタファイル，成形条件マスタファイル）を更新する際の処理手順を説明するためのフローチャート、
【図５】同管理システムのマスタファイル（モニタデータマスタファイル，成形条件表マスタファイル）を更新する際の処理手順を説明するためのフローチャート、
【図６】同管理システムにおける設定画面図、
【図７】同管理システムにおけるエラーマスタファイルのフォーマット図、
【図８】同管理システムにおける成形条件表マスタファイルのフォーマット図、
【符号の説明】
【００４９】
１：管理システム，２：成形機コントローラ，３：上位制御装置，５：ディスプレイ，５０…：射出成形機，Ｆｍ：上位マスタファイル，Ｆｍｉ：成形機マスタファイル，Ｆｍｎ：新しい上位マスタファイル，Ｆｍｅ：エラーマスタファイル，Ｆｍｃ：成形条件マスタファイル，Ｆｍａ：モニタデータマスタファイル，Ｆｍｂ：成形条件表マスタファイル，Ｄｃ：新コードデータ，Ｄｉ：新コードデータに対応する関連情報データ，Ｍｓ：マスタファイル作成処理手段，Ｍｒ：マスタファイル受信手段，Ｍｍ：マージ処理手段，Ｍｔ：マスタファイル送信手段，Ｍｅ：マスタファイル更新処理手段，Ｍｓｎ：新マスタファイル作成処理手段，Ｍｅｎ：新マスタファイル更新処理手段，Ｐｍｂ：標準の成形条件表，Ｐｍｏ：オプション仕様
【図１】
0004787808.tif 000002
【図２】
0004787808.tif 000003
【図３】
0004787808.tif 000004
【図４】
0004787808.tif 000005
【図５】
0004787808.tif 000006
【図６】
0004787808.tif 000007
【図７】
0004787808.tif 000008
【図８】
0004787808.tif 000009